(57)【要約】      （修正有）【課題】はがきや写真等をシールで壁などに貼り付けにおいて、壁との強い粘着力を確保するとともに、剥がした場合に壁紙を一緒に剥がして壁を傷つけたり、粘着剤が残って壁を汚したりせず、しかも掲示物が容易に落下しない壁貼りシールを提供する。【解決手段】本壁貼りシールは壁を傷つけない弱粘着力シールを使い、全体を大きな面積を持つ壁対象粘着部１と小さな掲示対象物用粘着部２とに繋ぎ部３にて分け、壁対象粘着部の弱められた粘着力は面積を大きくする事によって補完し掲示対象物７が容易に落下しないよう構成したものである。【選択図】図５
2004246310.tif 000002
【特許請求の範囲】
【請求項１】
裏面に容易にはがし易い程度の弱い粘着剤（５）を塗布した適宜の形をしたシールにおいて、極く狭い繋ぎ部（３）を介して壁対象粘着部（１）と、掲示対象物用粘着部（２）を画然として形成し、しかも壁対象粘着部の面積が掲示対象物用粘着部の面積の２倍以上であることを特長とした弱粘着壁貼りシール。
【請求項２】
適宜の長さの細巾の繋ぎ部（３’）を有する請求項第１項に記載の弱粘着壁貼りシール。
【請求項３】
複数の掲示対象物用粘着部を有する請求項第１項に記載の弱粘着壁貼りシール。
【請求項４】
壁対象粘着部面上に繋ぎ部と掲示対象物用粘着部を有する請求項第１項に記載の弱粘着壁貼りシール。
【請求項５】
細巾の繋ぎ部をその巾のまま一定の長さ延長してその延長した突起状の部分を掲示対象物用粘着部とした請求項第１項に記載の弱粘着壁貼りシール。
【発明の詳細な説明】
【０００１】
【産業上の利用分野】
ポスターや写真等を壁に貼り付ける際の粘着シールにおいて、剥がすとき、壁を汚したり、傷つけたりせぬよう、従来のシールより弱い粘着力とした粘着剤を使用してある弱粘着壁貼りシールに関する。
【０００２】
【従来の技術】
ポスターや写真等を壁に貼り付ける為の粘着シールとしてはシールの裏に薄いスポンジと弱い粘着剤を塗布した円形のものが市販されている程度である。．
【０００３】
【発明が解決しようとする課題】
市販のものは、上述の様にシールの裏に薄いスポンジと弱い粘着剤を塗布した円形のものがあるが、これは単なるメモ用紙とか、軽い葉書などの場合にのみ用が足りるが、厚い写真等少し重量のあるものになると支えきれず簡単に剥がれて落ちてしまう。
【０００４】
これは壁を汚したり、傷つけては成らないという目的に沿う様、弱い粘着剤を使用しなければならぬ為の、当然の結果であり、即ち、掲示対象物を粘着した部分の粘着力は充分であるが、壁対象粘着部分の粘着力が従来の何分の１かに弱められたことにより、壁に対し粘着する力と、掲示対象物の重量のバランスが崩れ壁対象粘着部の粘着力が掲示対象物の重量を支え切れ無くなった為に拠るものであり、従って使用範囲が狭く限定され、商品として余り役に立っているとは言えない。
【０００５】
本発明は大きめの写真やポスターなど多少の重量があっても支え切れる弱粘着壁貼りシールの発明を目的とした。
【０００６】
【課題を解決するための手段】
本発明に於いては、任意の形の弱粘着壁貼りシールの全体を大小に２分し、即ち少なくとも掲示対象物用粘着部の面積の２倍以上の大きさとした壁対象粘着部分と、壁対象粘着部分の面積の２分の１以下とした掲示対象物用粘着部分とに画然と分けることによって、壁対象粘着部の粘着力が弱まった分を壁対象粘着部の面積を大きくすることで補ったものである。
【０００７】
また、掲示対象物を粘着し一定の厚味を持った掲示対象物用粘着部は、繋ぎ部を通じて壁対象粘着部に剥がそうとする力を作用させるが、繋がり部の横幅を小さくすることによってこれを最小に抑えることが出来た。
【０００８】
【作用】
論理的には、壁はりシールの粘着力を、壁等を汚したり、傷つけたりせぬ様に弱粘着力に弱めるに際し，粘着力を最初の粘着力のｎ分の１とした場合、壁対象粘着部の面積をｎ倍にすることによって、壁対象粘着部の失われた有効粘着力を回復させることが出来る。この場合掲示対象物用粘着部の粘着力については、実験の結果、壁対象粘着部の面積に対して２分の１以下、３分の１以下で充分有効であることを確認したものである。
【０００９】
壁対象粘着部の粘着力を弱める作用として、掲示対象物の厚みが壁対象粘着部を持ち上げ剥がそうと僅かに働く作用は見逃すことが出来ない、この対策として、繋ぎ部の巾を極力狭くすることによって、この力を最小限度に弱めることになった。
【００１０】
【実施例】
１、  直径を３０ｍｍと１５ｍｍの，繋ぎ部３を介して連なった大小の円形の弱粘着力シールにおいて、大の方１を壁対象粘着部とし、小の方２を掲示対象物用粘着部とした弱粘着壁貼りシール。
【００１１】
２、  直径を３０ｍｍと１５ｍｍの大小の円形の弱粘着力のシールを、巾ほぼ６ｍｍ，長さ５ｍｍの帯状の繋ぎ部３’で連結した弱粘着壁貼りシール。
【００１２】
３、直径５０ｍｍの壁対象粘着部１（
【図４】）の内部下方に直径２０ｍｍの円形の掲示対象物用粘着部２を構成した弱粘着壁貼りシール。
【００１３】
４、上部に横１００ｍｍ縦３５ｍｍの壁対象粘着部１（
【図６】）を構成し、下部に幅６ｍｍの繋ぎ部を頂辺とし、高さ１５ｍｍ、底辺の幅を２０ｍｍとした梯形の掲示対象物用粘着部２”を構成した弱粘着壁貼りシール。
【００１４】
５，壁対象粘着部の繋ぎ部を数センチ延長しその突起状部分２”（
【図７】）を掲示対象物用粘着部とした弱粘着壁貼りシール。
【００１５】
６，壁対象粘着部及び掲示対象物用粘着部は必ずしも円形や長方形でなく、楕円形やその他デザイン的面白さのある、より自由な形が想定出来る。
【００１６】
７、壁対象粘着部を長方形にした場合等は掲示対象物用粘着部を複数にすることも考えられる。
【００１７】
【発明の効果】
１、従来の弱粘着壁貼りシールは粘着力が弱いのでせいぜい１〜２ｇ程度の小さなメモ用紙に使えるのみで、あまり利用価値はなかったが、本発明によってより重量のある大きな紙を壁に掲示可能となり、飛躍的に利用範囲が広がった。
【００１８】
２、今まで、一寸したパンフレットやポスター等を壁に貼り付ける際，画鋲や粘着テープの使用を躊躇するような場合でも、安心して貼り付けることが出来るようになった。と言う事は、今まで広く使われていた画鋲の分野までその応用範囲が広がることを意味し、そのメリットは図かり知れない
【００１９】
３、繋ぎ部は壁対象粘着部の粘着力の安定に著しい効果を有し、本発明のの弱粘着壁貼りシールの有用性の重要な基となっている。
【００２０】
４  突起式壁シールは物理的に最も剥がれ難い究極的な形状を示していると思われるもので、例えば四辺形など鋭角的形状よりも、楕円、円等曲線的形状のほうが剥がれ難いとか、壁対象粘着部と掲示対象物用粘着部との比率がより安定的であるとか、未だ厳密な実証を経たわけではなく小規模な実験の結果ではあるが、非常に使い易く効果的と報告されているものである。
【００２１】
壁を傷つけたり、汚したりしないで掲示物を壁に貼り付ける方法としては、一定の大きさの掲示物の裏面に、たっぷりと弱粘着両面テープを使う方法もあるが、作業し難い等の問題あり、結局本発明の弱粘着壁貼りシールの方がずっと使用し易い。
【図面の簡単な説明】
【図１】弱粘着壁貼りシールの平面図
【図２】同上            側面図
【図３】適宜の長さの細巾の繋ぎ部を有する弱粘着壁貼りシールの平面図
【図４】壁対象粘着部面上に掲示対象物用粘着部を有する弱粘着壁貼りシールの平面図
【図５】同上シールの使用図
【図６】複数の掲示対象物用粘着部を有する弱粘着壁貼りシール
【図７】突起状掲示対象物用粘着部を有する弱粘着壁貼りシール
【符号の説明】
１  壁対象粘着部
２  掲示対象物用粘着部
２’梯形状掲示対象物用粘着部
２”突起状掲示対象物用粘着部
３  繋ぎ部
３’適宜の長さの細巾の繋ぎ部
４  シール
５  粘着剤
６  台紙
７  掲示物
【図１】
2004246310.tif 000003
【図２】
2004246310.tif 000004
【図３】
2004246310.tif 000005
【図４】
2004246310.tif 000006
【図５】
2004246310.tif 000007
【図６】
2004246310.tif 000008
【図７】
2004246310.tif 000009